【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】光ディスク装置及び情報再生方法
【手続補正２】
【補正対象書類名】明細書
【補正対象項目名】特許請求の範囲
【補正方法】変更
【補正の内容】
【特許請求の範囲】
【請求項１】
光記録媒体に対して光ビームのフォーカスをとる光照射手段と、
前記光記録媒体から反射された光ビームを検出する光検出器と、
前記光検出器で生成された信号を処理し、処理信号を出力し、記録情報を再生する演算及び選択手段を具備し、
前記光記録媒体は、隣接部に関して光学的位相差を有するマーク列として形成された再生可能な情報を有し、
前記光照射手段は、マーク列のセンターラインから光記録媒体の半径方向へ所定距離シフトしたラインに沿って、当該光ビームをフォーカスさせ、
前記光検出器は、前記マーク列のセンターラインに平行な少なくとも１つの分割ラインにより分割された少なくとも2つの受光領域を含む検出面を有し、
前記演算及び選択手段は、光記録媒体の特性にしたがって前記マーク列の情報を再生するために、前記２つの受光領域で得られた信号の差と和とを計算し、それら計算した値の１つまたは他を処理信号として出力し、ここで光記録媒体の前記所定距離が所定値よりも長い特性であるときは、前記差の信号を前記処理信号として出力し、前記所定距離が前記所定値よりも短い特性であるときは、前記和の信号を出力する
ことを特徴とする光ディスク装置。
【請求項２】
前記演算及び選択手段は、
前記光記録媒体の隣接するトラック間距離が所定値よりも長い特性であるときは、前記差の信号を前記処理信号として出力し、前記隣接するトラック間距離が前記所定値よりも短い特性であるときは、前記和の信号を出力する
ことを特徴とする請求項１記載の光ディスク装置。
【請求項３】
光記録媒体に対して光ビームのフォーカスをとる光照射手段と、
前記光記録媒体から反射された光ビームを検出する光検出器と、
前記光検出器で生成された信号を処理し、処理信号を出力し、記録情報を再生する演算及び選択手段を具備し、
前記光記録媒体は、第1のラインに沿ってリライタブル情報を格納できる第1のエリアと、マーク列によって形成された第２のラインに沿って再生情報が格納された第２のエリアとを有し、マーク列は、隣接する部分に関して光学的位相差を有し、
前記第２のラインは、前記第１のラインから所定距離シフトしており、
前記光照射手段は、前記第１のラインに沿って、当該光ビームをフォーカスさせ、
前記光検出器は、前記第１と第２のラインに平行な少なくとも１つの分割ラインにより分割された少なくとも2つの受光領域を含む検出面を有し、
前記演算及び選択手段は、前記２つの受光領域で得られた信号の差と和とを計算可能であり、前記第1と第２のエリアに応じて、それら計算した差の信号と合成の信号を処理信号として出力し、ここで前記第1のエリアでは、前記和の信号を情報再生のための処理信号として出力し、第２のエリアでは、差の信号と合成の信号のうちの１つを情報再生のための処理信号として出力することを特徴とする光ディスク装置。
【請求項４】
前記演算及び選択手段は、
前記所定距離が所定値よりも長いときは、前記差の信号を前記第２のエリアの前記処理信号として出力し、前記所定距離が前記所定値よりも短い特性であるときは、前記和の信号を前記第２のエリアの処理信号として出力する
ことを特徴とする請求項３記載の光ディスク装置。
【請求項５】
前記演算及び選択手段は、
前記第1のエリアで隣接トラック間の距離が所定値よりも長いときは、前記差の信号を前記第２のエリアの前記処理信号として出力し、前記第1のエリアで隣接トラック間の距離が前記所定値よりも短い特性であるときは、前記和の信号を前記第２のエリアの処理信号として出力する
ことを特徴とする請求項１記載の光記録媒体から情報を再生するための光ディスク装置。
【請求項６】
光記録媒体は、第1のラインに沿ってリライタブル情報を格納できる第1のエリアと、マーク列によって形成された第２のラインに沿って再生情報が格納された第２のエリアとを有し、マーク列は、隣接する部分に関して光学的位相差を有し、前記第２のラインは、前記第１のラインから所定距離シフトしており、この光記録媒体の情報を再生する装置であって、
光記録媒体に対して光ビームのフォーカスをとる光照射手段と、
前記光記録媒体から反射された光ビームを検出する光検出器と、
前記光検出器で生成された信号を処理し、処理信号を出力し、記録情報を再生する演算及び選択手段を具備し、
前記光照射手段は、前記第1のラインに沿って光ビームのフォーカスをとり、
前記光検出器は、前記第１と第２のラインに平行な少なくとも１つの分割ラインにより分割された少なくとも2つの受光領域を含む検出面を有し、
前記演算及び選択手段は、前記２つの受光領域で得られた信号の差と和とを計算可能であり、前記第1と第２のエリアに応じて、それら計算した差の信号と合成の信号のうち１つを処理信号として出力し、ここで前記第1のエリアでは、前記和の信号を情報再生のための処理信号として出力し、第２のエリアでは、差の信号と合成の信号のうちの１つを情報再生のための処理信号として出力することを特徴とする光ディスク装置。
【請求項７】
前記演算及び選択手段は、
前記所定距離が所定値よりも長いときは、前記差の信号を前記第２のエリアの前記処理信号として出力し、前記所定距離が前記所定値よりも短い特性であるときは、前記和の信号を前記第２のエリアの処理信号として出力する
ことを特徴とする請求項６記載の光ディスク装置。
【請求項８】
前記演算及び選択手段は、
前記第1のエリアで隣接トラック間の距離が所定値よりも長いときは、前記差の信号を前記第２のエリアの前記処理信号として出力し、前記第1のエリアで隣接トラック間の距離が前記所定値よりも短い特性であるときは、前記和の信号を前記第２のエリアの処理信号として出力する
ことを特徴とする請求項６記載の光ディスク装置。
【請求項９】
光記録媒体は、第1のラインに沿ってリライタブル情報を格納できる第1のエリアと、マーク列によって形成された第２のラインに沿って再生情報が格納された第２のエリアとを有し、マーク列は、隣接する部分に関して光学的位相差を有し、前記第２のラインは、前記第１のラインから所定距離シフトしており、この光記録媒体の情報を再生する方法であって、
光記録媒体に対して光ビームのフォーカスをとり、
前記光記録媒体から反射され集光された光ビームを検出し、
前記検出された光による信号を処理し、処理信号を出力し、記録情報を再生する方法であって、
前記第1のラインに沿って光ビームのフォーカスをとり、
前記光ビームの検出では、前記第1のライン位置の反射像を対向した複数の受光領域で前記光ビームの検出を行い、
前記光による信号の処理では、前記２つの受光領域で得られた信号の差と和とを計算可能であり、前記第1と第２のエリアに応じて、それら計算した差の信号と合成の信号のうち１つを処理信号として出力し、ここで前記第1のエリアでは、前記和の信号を情報再生のための処理信号として出力し、第２のエリアでは、差の信号と合成の信号のうちの１つを情報再生のための処理信号として出力することを特徴とする光ディスクからの情報再生方法。
【請求項１０】
演算及び選択手段では、
前記第1のエリアで隣接トラック間の距離が所定値よりも長いときは、前記差の信号を前記第２のエリアの前記処理信号として出力し、前記第1のエリアで隣接トラック間の距離が前記所定値よりも短い特性であるときは、前記和の信号を前記第２のエリアの処理信号として出力することを特徴とする請求項９記載の光ディスクからの情報再生方法。